(57)【要約】【課題】建築物の開口部の幅方向の端から中柱までの幅が中柱の高さよりも狭くても、中柱を建築物の天井側に収納することができるシャッター装置を提供する。【解決手段】昇降移動して倉庫の開口部１を開閉する複数個のシャッターカーテン７と、これらのシャッターカーテン７の間に設けられた中柱５とを備え、中柱５は、垂直に位置されてシャッターカーテン７の昇降移動を案内する案内位置と、略水平にかつ開口部１の後方に位置されて、まぐさ１５の下に収納される収納位置とに回動自在に設けられている。【選択図】      図３
2004190329.tif 000002
【特許請求の範囲】
【請求項１】
昇降移動して建築物の開口部を開閉する複数個のシャッターカーテンと、これらのシャッターカーテンの間に設けられた中柱とを備え、
前記中柱は、垂直に位置されて前記シャッターカーテンの昇降移動を案内する案内位置と、略水平にかつ前記開口部の後方に位置されて前記建築物の天井側に収納される収納位置とに回動自在に設けられていることを特徴とするシャッター装置。
【請求項２】
前後方向に対して左右方向または上下方向に傾斜されている回動軸に、前記中柱の上端部が回動自在に支持されていることを特徴とする請求項１に記載のシャッター装置。
【請求項３】
前後方向に対して左右方向および上下方向に傾斜されている回動軸に、前記中柱の上端部が回動自在に支持されていることを特徴とする請求項１に記載のシャッター装置。
【請求項４】
前記回動軸に、前記建築物に設けられる支持部材と前記中柱の上端部に設けられる回動部材とが回動自在に連結されていることを特徴とする請求項２または請求項３に記載のシャッター装置。
【請求項５】
昇降移動して建築物の開口部を開閉する複数個のシャッターカーテンと、これらのシャッターカーテンの間に設けられた中柱とを備え、前記中柱を、垂直に位置されて前記シャッターカーテンの昇降移動を案内する案内位置から、略水平にかつ前記開口部の後方に位置されて前記建築物の天井側に収納される収納位置に回動することを特徴とするシャッター装置の中柱の収納方法。
【請求項６】
前後方向に対して左右方向または上下方向に傾斜されている回動軸に、前記中柱の上端部が回動自在に支持されていることを特徴とする請求項５に記載のシャッター装置の中柱の収納方法。
【請求項７】
前後方向に対して左右方向および上下方向に傾斜されている回動軸に、前記中柱の上端部が回動自在に支持されていることを特徴とする請求項５に記載のシャッター装置の中柱の収納方法。
【請求項８】
前記回動軸に、前記建築物に設けられる支持部材と前記中柱の上端部に設けられる回動部材とが回動自在に連結されていることを特徴とする請求項６または請求項７に記載のシャッター装置の中柱の収納方法。
【発明の詳細な説明】
【０００１】
【発明の属する技術分野】
本発明は、ビルディングや倉庫等の建築物の開口部を開閉するシャッター装置およびシャッター装置の中柱の収納方法に関する。
【０００２】
【従来の技術】
一般に、ビルディングや倉庫等の建築物の開口部には、この開口部を開閉するシャッター装置が設けられている。建築物の開口部が広い場合には、開口部の所定位置に中柱を立設して、複数連のシャッターを並設して風圧等に対するシャッターカーテンの耐久性を向上させているが、シャッターカーテンの開放時に、上記中柱が通行等の邪魔になる。
このため、従来、建築物に設けた回動軸に中柱を回動自在に設け、シャッターカーテンの開放時に、前後方向に延びるように設けられた回動軸を中心に中柱を左方向または右方向に回動させ、天井側のまぐさ等の下に、中柱を左右方向に沿うように位置させて収納している。あるいは、中柱の上方に、左右方向に沿って中柱を案内するレールを設け、このレールに懸垂された中柱を開口部の両端部に移動させている。
【０００３】
【発明が解決しようとする課題】
しかしながら、中柱を回動させる方法では、中柱が左右方向に沿って位置されるので、開口部の左右方向の端から中柱までの幅が、中柱の高さよりも狭いと、まぐさの下に中柱を収納することができないという問題がある。
また、中柱を開口部の両端部に移動させる方法では、例えば船舶の倉庫等の開口部に上記中柱を設けると、船体の揺れにより上記中柱がレールに沿って左右方向に移動して、邪魔になる虞がある。
【０００４】
本発明は、上記事情に鑑みて為されたもので、建築物の開口部の左右方向の端から中柱までの幅が中柱の高さよりも狭くても、中柱を建築物の天井側に収納することができるシャッター装置およびシャッター装置の中柱の収納方法を提供することを目的とする。
【０００５】
【課題を解決するための手段】
上記目的を達成するために、請求項１に記載のシャッター装置は、昇降移動して建築物の開口部を開閉する複数個のシャッターカーテンと、これらのシャッターカーテンの間に設けられた中柱とを備え、前記中柱は、垂直に位置されて前記シャッターカーテンの昇降移動を案内する案内位置と、略水平にかつ前記開口部の後方に位置されて前記建築物の天井側に収納される収納位置とに回動自在に設けられていることを特徴とする。
【０００６】
請求項２に記載のシャッター装置は、請求項１に記載の発明において、前後方向に対して左右方向または上下方向に傾斜されている回動軸に、前記中柱の上端部が回動自在に支持されていることを特徴とする。
【０００７】
請求項３に記載のシャッター装置は、請求項１に記載の発明において、前後方向に対して左右方向および上下方向に傾斜されている回動軸に、前記中柱の上端部が回動自在に支持されていることを特徴とする。
【０００８】
請求項４に記載のシャッター装置は、請求項２または請求項３に記載の発明において、前記回動軸に、前記建築物に設けられる支持部材と前記中柱の上端部に設けられる回動部材とが回動自在に連結されていることを特徴とする。
【０００９】
請求項５に記載のシャッター装置の中柱の収納方法は、昇降移動して建築物の開口部を開閉する複数個のシャッターカーテンと、これらのシャッターカーテンの間に設けられた中柱とを備え、前記中柱を、垂直に位置されて前記シャッターカーテンの昇降移動を案内する案内位置から、略水平にかつ前記開口部の後方に位置されて前記建築物の天井側に収納される収納位置に回動することを特徴とする。
【００１０】
請求項６に記載のシャッター装置の中柱の収納方法は、請求項５に記載の発明において、前後方向に対して左右方向または上下方向に傾斜されている回動軸に、前記中柱の上端部が回動自在に支持されていることを特徴とする。
【００１１】
請求項７に記載のシャッター装置の中柱の収納方法は、請求項５に記載の発明において、前後方向に対して左右方向および上下方向に傾斜されている回動軸に、前記中柱の上端部が回動自在に支持されていることを特徴とする。
【００１２】
請求項８に記載のシャッター装置の中柱の収納方法は、請求項６または請求項７に記載の発明において、前記回動軸に、前記建築物に設けられる支持部材と前記中柱の上端部に設けられる回動部材とが回動自在に連結されていることを特徴とする。
【００１３】
請求項１および請求項５に記載の発明においては、天井側に、略水平にかつ開口部の後方（すなわち中柱と開口部の左右方向とが一定角度を形成するような位置）に、中柱が収納されるので、開口部の左右方向の端から中柱までの幅が中柱の高さよりも狭くても、天井側に中柱が収納される。したがって、シャッターの開放時に中柱が邪魔にならない。
【００１４】
請求項２および請求項６に記載の発明においては、概略前後方向に延びる回動軸が前後方向に対して左右方向または上下方向に傾斜しているので、中柱を回動軸を中心に左方向または右方向に回動させて中柱を略水平に位置させると、開口部の左右方向に対して一定角度後方に中柱が位置される。
【００１５】
請求項３および請求項７に記載の発明においては、概略前後方向に延びる回動軸が前後方向に対して左右方向または上下方向に傾斜、すなわち回動軸の前端部が、前後方向に対して左右方向でかつ上下方向を向くように回動軸が傾斜している。
これらの傾斜方向のうち、回動軸の前端部が前後方向に対して左方向でかつ下方向を向くように、または右方向でかつ上方向を向くように回動軸を傾斜させた場合には、案内位置の中柱を回動軸を中心に右方向に回動させて中柱を略水平に位置させると、開口部の左右方向に対して一定角度後方に中柱が位置されるとともに、中柱の両側面が開口部の左右方向に略平行となって、開口部に中柱が露出しない。
また、回動軸の前端部が、前後方向に対して左方向でかつ上方向を向くようにまたは右方向でかつ下方向を向くように、回動軸を傾斜させた場合には、中柱を左方向に回動させて中柱を略水平に位置させると、開口部の左右方向に対して一定角度後方に中柱が位置されるとともに、中柱の両側面が開口部の左右方向に略平行となって、開口部に中柱が露出しない。
【００１６】
請求項４および請求項８に記載の発明においては、回動軸により互いに回動自在に連結された支持部材と回動部材とを設けているので、開口部の左右方向の所望の位置に中柱を取り付けることができる。
【００１７】
【発明の実施の形態】
以下、添付した図面を参照しながら、本発明の実施の形態を説明する。
図１は、本発明の実施の形態に係るシャッター装置を示す正面図、図２は、図１のＡ−Ａ線に沿う断面図、図３は、中柱の上端部近傍を拡大して示す断面図、図４は、ヒンジを示す側面図、図５は、ヒンジの支持部材および回動部材を示す平面図、図６は、図１のＢ−Ｂ線に沿う断面図である。
【００１８】
図１および図２に示すように、このシャッター装置は、船舶の倉庫（建築物）の開口部１に設けられており、開口部１の両端部にそれぞれ立設された断面形状が略コ字状の一対の固定柱３と、これらの固定柱３の間に互いに間隔をおいて立設された略角柱状の２つの中柱５と、左側の固定柱３と左側の中柱５との間、両中柱５の間および右側の中柱５と右側の固定柱３との間にそれぞれ設けられた３つのシャッターカーテン７とを備えている。
【００１９】
シャッターカーテン７は、複数個の細長いスラット８が上下方向に連設されて構成されている。このシャッターカーテン７の上端部は、シャッターカーテン７の上方に設けられた巻き取り軸９に固定されている。この巻き取り軸９の後方には、巻き取り軸９を回転させる駆動するモータ１１が設けられており、このモータ１１により回転した巻き取り軸９にシャッターカーテン７が巻き取られ、あるいは繰り出されることによって、シャッターカーテン７が昇降移動するようになっている。
【００２０】
各固定柱３の開口部１側の側端部にはそれぞれ、シャッターカーテン７の昇降移動を案内するガイド溝３ａが上下方向に亘って設けられている。また、中柱５の両側部の前側寄りの部分にはそれぞれ、シャッターカーテン７の昇降移動を案内するガイド溝５ａが上下方向に亘って設けられている。
したがって、左側のシャッターカーテン７は、一側部が左側の固定柱３のガイド溝３ａに挿入され、他側部が左側の中柱５の左側部のガイド溝５ａに挿入されることにより、各ガイド溝３ａ，５ａに案内されて昇降移動するようになっている。同様に、右側のシャッターカーテン７は、一側部が右側の中柱５の右側部のガイド溝５ａに挿入され、他側部が右側の固定柱３のガイド溝３ａに挿入されて、その昇降移動を案内されるようになっている。また、中央のシャッターカーテン７は、両側部がそれぞれ両中柱５の両ガイド溝５ａに挿入されて、その昇降移動を案内されるようになっている。
【００２１】
また、図２および図３に示すように、中柱５は、この中柱５の上端部に設けられたヒンジ１３に、垂直に位置されてシャッターカーテン７の昇降移動を案内する案内位置（図２において、実線の位置）と、略水平にかつ開口部１の後方に位置されて、天井側に収納される収納位置（図２において、一点鎖線の位置）とに回動自在に支持されている。中柱５が収納位置に位置されているとき、この中柱５は、中柱５と開口部１の左右方向Ｃとが角度θ１（図６参照）を形成するように位置されており、本実施の形態では、この角度θ１は、１５度〜２０度程度に設定されている。なお、角度θ１は、上記角度に限定されるものではなく、他の角度に設定されていても良い。
【００２２】
図３乃至図５に示すように、ヒンジ１３は、中柱５の上方向に位置するまぐさ１５に固定される支持部材１７と、中柱５の上端面に固定される回動部材１９と、これらの支持部材１７と回動部材１９とを回動自在に連結する回動軸２１とを備えている。
【００２３】
支持部材１７は、まぐさ１５の下面にねじ等により固定される方形板状の固定部２５と、回動軸２１を支持する方形板状の一対の支持部２７とから構成されている。両支持部２７はそれぞれ、固定部２５の一方の面に、固定部２５の長手方向を斜めに横切るようにかつ互いに平行に立設されており、またこれらの両支持部２７はそれぞれ、固定部２５の一方の面に対して角度θ２を形成するように傾斜されている。また、両支持部２７の両側面と固定部２５の一方の面との間にはそれぞれ、支持部２７を補強するリブ２８が設けられている。また、両支持部２７の前端部には、回動軸２１が嵌入されて支持される支持孔２７ａが形成されている。なお、上記角度θ２は、中柱５と開口部１の左右方向Ｃとが形成する角度θ１の半分に設定されている。
【００２４】
また、回動部材１９は、中柱５の上面にねじ等により固定される方形板状の固定部２９と、回動軸２１を中心に回動する板状の回動部３１とにより構成されている。回動部３１は、固定部２９の一方の面に、この面に対して角度θ３を形成するように傾斜して立設されており、回動部３１の両側面と固定部２９の一方の面との間にはそれぞれ、回動部３１を補強する略三角形の板状のリブ３７が設けられている。この回動部３１の前端部には、貫通孔３１ａが形成されており、この貫通孔３１ａに、回動軸２１を軸支する軸受３５が設けられている。なお、上記角度θ３は、中柱５と開口部１の左右方向Ｃとが形成する角度θ１の半分に設定されている。すなわち、回動部材１９の固定部２９の傾斜の角度θ３と、支持部材１７の固定部２５の傾斜の角度θ２とは、同じ角度（θ２＝θ３）に設定されている。
【００２５】
また、図５において実線で示すように、右側の中柱５の上端面に、回動部材１９の固定部２９が、回動部３１が後方向に傾斜して、回動部３１の軸受３５に軸支されて概略前後方向に延びる回動軸２１の前端部が開口部１の前後方向Ｄに対して上方向を向くように、かつ固定部２９の長辺と左右方向Ｃとが角度θ４を形成して、上記回動軸２１の前端部が開口部１の前後方向Ｄに対して右方向を向くように、固定されている。また、上記角度θ４は、中柱５と開口部１の左右方向Ｃとが形成する角度θ１の半分、すなわち角度θ４は、回動部材１９の固定部２９の傾斜の角度θ３および支持部材１７の固定部２５の傾斜の角度θ２と同じ角度（θ２＝θ３＝θ４）とされている。これに伴って、図４に示すように、まぐさ１５の下面に、支持部材１７の固定部２５が、支持部２７が回動部３１と平行になるように固定されている。
これにより、回動軸２１が、その前端部が開口部１の前後方向Ｄに対して角度θ４右方向でかつ角度θ３上方向を向くように傾斜されている。この回動軸２１を中心に、後述する中柱吊り上げ機３３により右側の中柱５を右方向に回動させてこの中柱５を略水平に位置させると、図２および図６に示すように、この中柱５の両側面が略水平に位置された状態で、この中柱５が開口部１の左右方向Ｃに対して、回動軸２１の傾斜の角度θ３およびθ４の合計、すなわち角度θ１（θ１＝θ３＋θ４）後方に位置される。
【００２６】
また、図６において一点鎖線で示すように、左側の中柱５の上端面に、回動部材１９の固定部２９が、回動部３１が後方向に傾斜して、概略前後方向に延びる回動軸２１の前端部が開口部１の前後方向Ｄに対して上方向を向くように、かつ固定部２９の長辺と開口部１の左右方向Ｃとが角度θ４を形成して、回動軸２１の前端部が開口部１の前後方向Ｄに対して左方向を向くように、固定されている。これに伴って、まぐさ１５の下面に、支持部材１７の固定部２５が、支持部２７が回動部３１と略平行になるように固定されている。
これにより、回動軸２１が、その前端部が開口部１の前後方向に対して角度θ４左方向でかつ角度θ３上方向を向くように傾斜されている。この回動軸２１を中心に、中柱吊り上げ機３３により左側の中柱５を右方向に回動させてこの中柱５を略水平に位置させると、図２および図６に示すように、この中柱５の両側面が略平行水平に位置された状態で、この中柱５が開口部１の左右方向Ｃに対して角度θ１後方に位置される。
【００２７】
また、中柱５の上方でかつ後方には、中柱５を案内位置と収納位置とに回動させる中柱吊り上げ機３３が設けられている。中柱吊り上げ機３３は、モータ駆動される巻上げドラム３５と、中柱５を吊り上げるワイヤ３７とを備えている。ワイヤ３７の一端部は、巻き上げドラム３５に固定されており、ワイヤ３７の他端部は、中柱吊り上げ機３３の前方に水平に設けられたプーリ３９と、このプーリ３９の右方に垂直に設けられたプーリ４１と、中柱４の下端部側でかつ中柱４の内部に垂直に設けられた図示しないプーリとを経て、このプーリの上方でかつ中柱４の内部に設けられた固定部４３に固定されている。巻上げドラム３５によりワイヤ３７が巻き取られ、あるいは繰り出されて、中柱５がヒンジ１３の回動軸２１を中心に回動するようになっている。
また、中柱５の側面の略中央の位置には、引っ掛け部４５が設けられている。この引っ掛け部４５に、天井側に設けられたフックが引っ掛けられることにより、中柱５が収納位置から不用意に落下しないようにされており、引っ掛け部４５は、安全装置として機能するようになっている。
【００２８】
上記構成のシャッター装置において、開口部１を閉鎖するには、まず、中柱吊り上げ機３３の巻き上げドラム３５を駆動して、巻き上げドラム３５にワイヤ３７を繰り出させることにより、両中柱７を収納位置から案内位置に回動させる。そして、モータ１１を駆動して巻き上げ軸９を回転させて、巻き上げ軸９にシャッターカーテン７を繰り出させることにより、シャッターカーテン７が固定柱３および中柱５に案内されて、開口部１の最下端まで下降する。
【００２９】
一方、開口部１を開放するには、まず、巻上げドラム１１によりシャッターカーテン７を巻き上げさせることにより、シャッターカーテン７が固定柱３および中柱５に案内されて上昇する。その後、中柱吊り上げ機３３の巻上げドラム３５にワイヤ３７を巻き取らせることにより、両中柱５が左方向または右方向に回動、すなわち左側の中柱５が図１および図２の二点鎖線に沿って左方向に回動し、右側の中柱５が図１および図２の二点鎖線に沿って右方向に回動する。そして、両中柱５が略水平に位置されると、両中柱５の両側面が開口部１の左右方向Ｃに略平行に位置されるとともに、開口部１の左右方向Ｃに対して角度θ１後方に両中柱５がそれぞれ位置されて、まぐさ１５の下方向に両中柱５がそれぞれ収納される。
【００３０】
このようなシャッター装置にあっては、まぐさ１５の下に、略水平に、かつ中柱５と開口部１の左右方向Ｃとが角度θ１を形成するような位置に、中柱５が収納されるため、開口部１の左右方向の端から中柱５までの幅Ｗ１、Ｗ２が中柱の高Ｈさよりも狭く（Ｗ１＜Ｈ，Ｗ２＜Ｈ）ても、天井側に中柱５を収納することができる。したがって、シャッターカーテン７の開放時に中柱５が通行等の邪魔になるのを防止することができる。しかも、中柱５を天井側に収納するので、従来のように、中柱５をレールにより開口部１の両端部に移動させる方法とは異なり、船体７の揺れに中柱５が影響されないため、船体の揺れにより中柱５が開口部１に露出することを確実に防止することができる。
【００３１】
また、右側の中柱５に設けられたヒンジ１３の回動軸２１を、その前端部が開口部１の前後方向Ｄに対して左方向でかつ上方向を向くように回動軸を傾斜させているので、案内位置の中柱５を回動軸２１を中心に左方向に回動させて中柱５を略水平に位置させることにより、開口部１の左右方向Ｃに対して角度θ１後方に中柱５を位置させることができるとともに、中柱５の両側面が開口部１の左右方向Ｃに対して略平行に位置させることができ、開口部１に中柱５が露出するのを防止することができる。
また、左側の中柱５に設けられたヒンジ１３の回動軸２１を、その前端部が開口部１の前後方向Ｄに対して右方向でかつ上方向を向くように回動軸を傾斜させているので、案内位置の中柱５を回動軸２１を中心に右方向に回動させて中柱５を略水平に位置させることにより、開口部１の左右方向Ｃに対して角度θ１後方に中柱５を位置させることができるとともに、中柱５の両側面が開口部１の左右方向Ｃに対して略平行に位置させることができ、開口部１に中柱５が露出するのを防止することができる。
【００３２】
また、回動軸２１により互いに回動自在に連結された支持部材１７と回動部材１９とを設けているので、開口部１の左右方向Ｃの所望の位置に中柱５を取り付けることができる。
【００３３】
本発明は、上記実施の形態に限定されず、その要旨を逸脱しない範囲内において、種々の変形が可能である。
例えば、上記実施の形態では、中柱５の上端面に、回動部材１７の固定部２９を、回動軸２１の前端部が開口部１の前後方向Ｄに対して左方向および上方向、あるいは右方向および上方向を向くように固定したが、これに代えて、中柱５の上端面に、回動部材１９の固定部２９を回動軸２１の前端部が開口部１の前後方向Ｄに対して左方向および下方向、あるいは右方向および下方向を向くように固定するようにしても良い。
【００３４】
また、上記実施の形態では、回動軸２１を開口部１の前後方向Ｄに対して左右方向および上下方向に傾斜させていたが、これに代えて、回動軸２１を開口部１の前後方向Ｄに対して左右方向のみあるいは上下方向のみに傾斜させるようにしても良い。この場合、回動軸２１が開口部１の前後方向Ｄに対して左右方向または上下方向に傾斜しているので、中柱５を回動軸２１を中心に左方向または右方向に回動させて中柱５を略水平に位置させると、開口部１の左右方向Ｃに対して一定角度後方に中柱５を位置させることができる。
なお、回動軸２１を開口部１の前後方向Ｄに対して左右方向のみに傾斜させるには、例えば、図５に示す回動部材１９の回動部３１を固定部２９に対して垂直に設け、中柱５の上端面に、固定部２９の長辺と中柱３の左右方向Ｂとが一定角度を形成して、回動部３３の軸受３５に軸支される回動軸２１が開口部１の前後方向Ｄに対して左右方向を向くように、上記回動部１９を固定するようにすれば良い。また、回動軸２１を開口部１の前後方向Ｄに対して上下方向のみに傾斜させるには、例えば、中柱５の上端面に、固定部２９の長辺と中柱３の左右方向Ｂとが平行になるように、回動部材１９を固定するようにすれば良い。
【００３５】
また、上記実施の形態では、ヒンジ１３を中柱５と別体に設けたが、これに代えて、ヒンジ１３と中柱５とを一体化するようにしても良い。
【００３６】
さらには、上記実施の形態では、シャッター装置は船舶の倉庫の開口部に設置されているが、この他に、例えば、ビルディングやヘリコプターの格納庫等の建築物の開口部にも設置することができる。
【００３７】
【発明の効果】
以上説明したように、請求項１に記載のシャッター装置および請求項５に記載のシャッター装置の中柱の収納方法によれば、開口部の左右方向の端から中柱までの幅が中柱の高さよりも狭くても、天井側に中柱を収納することができ、シャッターの開放時に中柱が邪魔になるのを防止することができる。
【００３８】
請求項２に記載のシャッター装置および請求項６に記載のシャッター装置の中柱の方法によれば、案内位置の中柱を回動軸を中心に左方向または右方向に回動させて中柱を略水平に位置させることにより、開口部の左右方向に対して一定角度後方に中柱を位置させることができる。
【００３９】
請求項３に記載のシャッター装置および請求項７に記載のシャッター装置の中柱の方法によれば、回動軸の前端部が前後方向に対して左方向でかつ下方向を向くように、または右方向でかつ上方向を向くように、回動軸を傾斜させた場合には、案内位置の中柱を回動軸を中心に右方向に回動させ、回動軸の前端部が前後方向に対して左方向でかつ上方向を向くように、または右方向でかつ下方向を向くように、回動軸を傾斜させた場合には、中柱を左方向に回動させて中柱を略水平に位置させることにより、開口部の左右方向に対して一定角度後方に中柱を位置させることができるとともに、中柱の両側面を開口部の左右方向に対して略平行にすることができ、開口部に中柱が露出することを防止することができる。
【００４０】
請求項４に記載のシャッター装置および請求項８に記載のシャッター装置の中柱の方法によれば、開口部の左右方向の所望の位置に中柱を取り付けることができる。
【図面の簡単な説明】
【図１】本発明の実施の形態に係るシャッター装置を示す正面図である。
【図２】図１のＡ−Ａ線に沿う断面図である。
【図３】中柱の上端部近傍を拡大して示す断面図である。
【図４】ヒンジを示す側面図である。
【図５】ヒンジを示す図であって、（ａ）は支持部材を示す平面図、（ｂ）は回動部材を示す平面図である。
【図６】図１のＢ−Ｂ線に沿う断面図である。
【符号の説明】
１      開口部
５      中柱
７      シャッターカーテン
１７    支持部材
１９    回動部材
２１    回動軸
【図１】
2004190329.tif 000003
【図２】
2004190329.tif 000004
【図３】
2004190329.tif 000005
【図４】
2004190329.tif 000006
【図５】
2004190329.tif 000007
【図６】
2004190329.tif 000008